(57)【要約】【課題】  前処理に供された原水をろ過池で有効に処理し得るろ過池システムの提供。【解決手段】  取水ポンプ１によって採取され前処理された原水を、流入弁３よりろ過池４に受入れ、ろ過してろ過弁５より流出するろ過池システムであって、  ろ過池４の運転停止の際に、取水ポンプ１の動作停止の後、ろ過弁５を閉じ、その後流入弁３を閉じる運転制御手段Ｃを設けた。【選択図】        図１
2005334816.tif 000002
【特許請求の範囲】
【請求項１】
取水ポンプによって採取され前処理された原水を、流入弁よりろ過池に受入れ、ろ過してろ過弁より流出させるろ過池システムであって、
ろ過池の運転停止の際に、前記取水ポンプの動作停止の後、前記ろ過弁を閉じ、その後流入弁を閉じる運転制御手段を設けたろ過池システム。
【請求項２】
前記運転制御手段は、
前記取水ポンプの動作停止の後、前記ろ過弁および前記流入弁のうち少なくともいずれか一方を、設定時間に基づき閉じるタイマ機構を備えた請求項１記載のろ過池システム。
【請求項３】
前記運転制御手段は、
前記取水ポンプの動作停止の後、前記ろ過弁および前記流入弁のうち少なくともいずれか一方を、前記ろ過池の水位に基づき閉じる水位制御機構を備えた請求項１記載のろ過池システム。
【請求項４】
前記ろ過池水位制御機構は、前記ろ過池の通常運転水位よりも低い下限水位に基づき前記ろ過弁を閉じ、通常運転水位よりも高い上限水位に基づき流入弁を閉じる請求項３記載のろ過池システム。
【請求項５】
前記ろ過池でろ過した後の浄水を貯留する浄水池を備え、
前記運転制御手段は、
前記取水ポンプの動作停止の後、前記ろ過池から前記浄水池へのろ過水移流量に基づき前記ろ過弁を閉じる浄水池水位制御機構を備えた請求項１記載のろ過池システム。
【請求項６】
前記ろ過池でろ過した後の浄水を貯留する浄水池を備え、
前記運転制御手段は、前記ろ過弁からの浄水を受ける浄水池の水位が満水水位より低い設定高水位に達したときに前記取水ポンプの動作を停止する請求項１〜５のいずれか一項に記載のろ過池システム。
【発明の詳細な説明】
【技術分野】
【０００１】
本発明は、取水ポンプによって採取され前処理された原水を、流入弁よりろ過池に受入れ、ろ過してろ過弁より流出させるろ過池システムに関する。
【背景技術】
【０００２】
このようなろ過池システムでは、通常、取水ポンプにより採取された原水が、凝集処理、沈殿処理、さらには、水質の要求に応じて、生物接触処理、活性炭処理、等の他の工程を追加したり、膜分離装置で代替えしたりするなど種々の形態による前処理を経たのち流入弁によりろ過池に導入される。ろ過池内では、導入された原水をろ過して、ろ過弁に流出させる。前処理を経て原水は、水位の勾配により、ろ過池に自然移流し、動力なしに連続的にろ過が行える構成となっている。
【０００３】
このようなろ過池システムによって供給すべき水量は時間帯によって変動することが多い。特に衛星都市部等、昼間や深夜の消費水量が少なく、夕刻から夜間の消費水量が多い地域のろ過池システムでは、一日の中でろ過水供給量が大きく変動する。このような場合、ろ過水供給量の少ない時間帯にろ過池を稼働停止する運転が行われている。従来、このような際に、ろ過池を稼働停止するときには、取水ポンプを停止するとともに、ろ過弁を停止していた（例えば特許文献１を参照）。
【０００４】
【特許文献１】特開平５−２８８１６１号公報
【発明の開示】
【発明が解決しようとする課題】
【０００５】
ところが、個々の処理槽に原水を流す方式を、水頭差により行う形態とすると、取水ポンプを停止しても、前処理の行程に供されている水は、しばらくの間下流側の処理槽にオーバーフローする等して流れ続ける。前記ろ過池システムの流入弁側に向かって、しばらく流れ続ける状況になる。しかし、このようにして流れる水（以下余剰原水と称する）は前記ろ過池には流入させられないので、通常、前処理の工程を通過後捨てられることになり、無駄に消費されていた。
【０００６】
そこで、本発明は、上記実状に鑑み、前処理に供された原水をろ過池で有効に処理し得るろ過池システムの提供を目的としている。
【課題を解決するための手段】
【０００７】
本発明のろ過池システムの特徴構成は、取水ポンプによって採取され前処理された原水を、流入弁よりろ過池に受入れ、ろ過してろ過弁より流出させるろ過池システムであって、ろ過池の運転停止の際に、前記取水ポンプの動作停止の後、前記ろ過弁を閉じ、その後流入弁を閉じる運転制御手段を設けた点にある。
【０００８】
ろ過池は、取水ポンプを稼働し、前記流入弁と前記ろ過弁とを開状態としておくことにより、ろ過池で原水のろ過運転を行うことができる。通常、原水の供給量とろ過弁から流出させるろ過水水量とは均衡するように設定される。
【０００９】
運転停止の際に、取水ポンプを動作停止すると、前記前処理への原水の供給が停止される。本ろ過池システムでは、このとき、前記流入弁を開状態に維持するので、前記ろ過池は、前記前処理で生じた余剰原水を受け入れることができる。またこのとき、前記ろ過弁を開状態にしてあるので、前記ろ過池が余剰原水を受入れつつも、前記ろ過池内の原水がろ過され、ろ過弁より流出される。
この状態では、前処理行程への原水の供給が停止し、ろ過池への供給水は余剰原水のみとなるので、ろ過池に流入する水量は、通常運転時にろ過池へ流入する水量より減少する。このとき、前記流入弁およびろ過弁の開度は変化させないので前記ろ過池は水位を次第に低下させつつ、前記余剰原水を有効利用可能に受け入れることができる。
【００１０】
その後、ろ過弁を閉じると、前記ろ過池内の原水のろ過が停止される。このとき、前記ろ過弁を閉じる時期は、前記ろ過池内の水量が過少とならず、かつ、十分量の余剰原水を受け入れることができる程度に、前記取水ポンプの停止から適宜遅延させる。
この状態では、前記ろ過池はろ過を行わず、ろ過池内に余剰原水を受け入れて、一旦低下したろ過池の水位を回復することができる。
【００１１】
さらに、前記ろ過弁を閉じた後、前記流入弁を閉じると、前記ろ過池への余剰原水の受け入れが停止される。前記流入弁を閉じる時期は、前記ろ過池内の水量が多くなりすぎず、かつ、十分量の余剰原水を受け入れることができる程度に、前記ろ過弁の閉じ操作から適宜遅延させる。
これにより、ろ過池内に余剰原水を十分受け入れ、余剰原水を有効利用可能に貯留しておくことができる。
【００１２】
従って、上記構成によると、ろ過池の容量を有効に利用して、余剰原水を有効利用することができる。また、前処理で生じた余剰原水の大部分は、前記ろ過池に受け入れられるから、仮に、前記前処理の工程に余剰原水が残り、そのまま廃棄されたとしても、その廃棄量は少なくなる。
【００１３】
また、余剰原水を有効利用するのに流入弁およびろ過弁の動作を最小限ですませることができ、前記流入弁およびろ過弁の動作に基づくろ過水の濁度上昇を抑制することができる。
【００１４】
尚、取水ポンプの運転停止後、運転を再開するまでは、前記ろ過池は、余剰原水を受け入れて水位の十分確保された状態で待機することになるから、運転再開時にも、即座にろ過運転を開始でき、応答性良く浄水を供給することができる。
【００１５】
本発明のろ過池システムにおける前記運転制御手段は、前記取水ポンプの動作停止後、前記ろ過弁および前記流入弁のうち少なくともいずれか一方を、設定時間に基づき閉じるタイマ機構を備えることが好ましい。
【００１６】
前述のように、前記ろ過弁を閉じるには、前記ろ過池内の水量が過少とならず、かつ、十分量の余剰原水を受け入れることができる程度に、前記取水ポンプの停止から遅延させることが望ましい。一方、前記流入弁を閉じるには、前記ろ過池内の水量が過多とならず、かつ、十分量の余剰原水を受け入れることができる程度に、前記ろ過弁の停止から遅延させることが望ましい。
【００１７】
ここで、前処理で生じる前記余剰原水の量は、前処理工程の構成によってほぼ決まり、その余剰原水が、前記ろ過池に流入するのに要する時間も、ほぼ正確に求めることができる。さらに、ろ過池の容量、ろ過池水位の低下速度等も既知であるから、前記タイマ機構により、前記ろ過弁や、前記流入弁を閉じる時期を決定し、前記ろ過池内の容量を十分有効に利用して余剰原水の有効利用を図ることができる。また、前記ろ過弁や、前記流入弁を閉じる時期を時間により制御すると、ろ過池の工程管理が容易となり、確実な運転を行える。また、ろ過池への特段の設備の増設を伴わず、既存のろ過池システムをタイマ機構により監視させるだけの簡単な設計変更で運転制御を行うことができる。
【００１８】
本発明のろ過池システムにおける前記運転制御手段は、前記取水ポンプの動作停止後、前記ろ過弁および前記流入弁のうち少なくともいずれか一方を、前記ろ過池の水位に基づき閉じる水位制御機構を備えることが好ましい。
【００１９】
前記ろ過池の水位に基づいて前記ろ過弁を閉じると、前記ろ過池内の水位を直接的にかつ確実に検知して前記ろ過池内の水量が過少とならない水位を維持することができる。また、前記ろ過池の水位に基づいて前記流入弁を閉じると、前記ろ過池内の水位を、直接的にかつ確実に検知して前記ろ過池内の水量が過多とならない水位を維持することができる。
【００２０】
また、前記ろ過池水位制御機構は、前記ろ過池の通常運転水位よりも低い下限水位に基づき前記ろ過弁を閉じ、通常運転水位よりも高い上限水位に基づき流入弁を閉じるものとすることが好ましい。
【００２１】
取水ポンプを停止後、前記ろ過弁および流入弁を開けておくと、前記ろ過池は余剰原水を受け入れつつろ過水を流出し続ける。このとき、通常は、余剰原水の流入が次第に減少するのに対して、ろ過水量があまり変化しないことから、ろ過池の水位が低下する。つまり、取水ポンプ停止後、ろ過池の水位が下限水位に達するまでは、余剰原水を受け入れ、確実に有効利用することができる。次に、下限水位に達したときにろ過弁を閉じれば、前記ろ過池には余剰原水が流入するが流出されない状態となり、ろ過池内の水位は上昇し始め、前記流入弁の閉止までに流入する余剰原水を前記ろ過池内に貯留することができる。このとき余剰原水は、前記下限水位から前記上限水位にわたって貯留されるから、前記下限水位を通常運転水位より十分低く、前記上限水位を通常運転水位より十分高く設定することにより大量の余剰原水を貯留することができる。
【００２２】
また、本発明のろ過池システムに、前記ろ過池でろ過した後の浄水を貯留する浄水池を備え、前記運転制御手段は、前記取水ポンプの動作停止の後、前記ろ過池から前記浄水池へのろ過水移流量に基づき前記ろ過弁を閉じる浄水池水位制御機構を備えることが好ましい。
【００２３】
上述のように、前記ろ過弁を閉じる際には、ろ過池の水位を十分低下させておくことで、前記ろ過池内に受け入れる得る余剰原水量を確保できるから、前記取水ポンプの停止後前記ろ過弁を閉じるまでには、出来る限り原水をろ過処理して前記浄水池に流出しておくことが望ましい。
このような流出量は、単位時間あたりにろ過弁から放出される水量と、単位時間あたりに流入弁に供給される水量およびろ過池の貯水量によって決定することが出来る。つまり、前記放出水量と供給水量との差から単位時間あたりのろ過池水量の減少量がわかる。この減少量とろ過池の水位が下限に達するまでの水量とを比較することで、取水ポンプ停止後に移流可能な水量を算出することができる。
【００２４】
そこで、この流出可能な原水量に応じて前記取水ポンプの動作停止後、前記ろ過池から前記浄水池へのろ過水移流量に基づき前記ろ過弁を閉止すると、前記ろ過池水位の低下を許容範囲内に留めつつ、出来るだけ多くの余剰原水を受け入れて、その余剰原水を有効に利用することができる
【００２５】
尚、上述の運転制御手段を備えた場合、前記ろ過弁の閉止と、前記流入弁の閉止とを同じ要因に基づいて行わなければならないというわけではない。たとえば、ろ過弁をタイマ機構により閉止し、流入弁を水位制御機構に基づき閉止するというように、異なる要因に基づいて、それぞれを運転制御することができる。
また、前記運転制御手段は、複数の要因に基づいて前記ろ過弁の閉止と、前記流入弁の閉止とを行うことができる。例えば、タイマ機構と水位制御機構との両方を監視し、いずれかのうち早く成立した要因に基づきろ過弁を閉止することも出来る。このようにすれば、より確実にろ過池の水位を監視することができるようになる。
【００２６】
さらに、上述の構成に加えて、前記ろ過池でろ過した後の浄水を貯留する浄水池を備え、前記運転制御手段が、前記ろ過弁からの浄水を受ける浄水池の水位が満水水位より低い設定高水位に達したときに前記取水ポンプの動作を停止するように構成することが出来る。
【００２７】
つまり、本構成によると、ろ過池の運転停止に際して前記取水ポンプの停止後、所定量のろ過水が浄水池に流入する事になる。そのため、前記浄水池では、前記取水ポンプの停止後に前記ろ過池から流出されるろ過水を受けて貯留することが出来るよう前記取水ポンプの停止を、前記浄水池の満水水位よりも低い設定高水位にて行うこととする。また、浄水池の水位により前記取水ポンプの停止を制御すると、前記取水ポンプの停止後、前記ろ過池に流入するろ過水量も、前記浄水池の水位により管理することが出来、より一層前記ろ過池の運転管理を確実に行うことが出来る。
【発明を実施するための最良の形態】
【００２８】
以下、本発明のろ過池システムの実施例を図面に基づいて説明する。
【００２９】
〈第一実施形態〉
本発明のろ過池システムは、図１および図２に示すように、例えば浄水設備に用いられ、取水ポンプ１によって採取された原水を、薬品混合処理部２２、凝集処理部２３、沈殿処理部２４の順に設けられる前処理部２において前処理して、原水中の濁度成分等を凝集、沈殿、分離する前処理により、濁度成分等の少ない水を得られるように構成している。
【００３０】
前処理部２を経た原水は、流入弁３よりろ過池４に受入れられる。ろ過池４では、原水をろ材によりろ過して、ろ過されたろ過水をろ過弁５より浄水池６に流出可能に構成してある。
【００３１】
前記ろ過池４には水位センサ４１を設け、その水位センサ４１の検知水位に基づき、前記取水ポンプ１の稼働時に、前記流入弁３および前記ろ過弁５を開閉する弁開閉手段４２を設け、前記ろ過池４の水位を設定範囲内に維持する水位制御機構４３を構成する。尚、前記水位制御機構４３は、運転制御手段Ｃとして設けられるコンピュータに、水位センサ４１からの検知水位の入力を受けて、弁開閉手段４２を動作させる動作信号を出力するプログラムを備えることによって実現される。
【００３２】
また、前記弁開閉手段４２には、前記ろ過池４の運転停止の際に、前記取水ポンプ１の動作停止後、第一設定時間Ｔ１経過後に前記ろ過弁５を閉じ、さらに第二設定時間Ｔ２経過後に前記流入弁３を閉じるタイマ機構４４を連設してある。尚、前記タイマ機構４４は、運転制御手段Ｃとして設けられるコンピュータに、タイマを参照して、流入弁３を動作させる動作信号を出力するプログラムを備えることによって実現される。
【００３３】
また、前記浄水池６には水位計６１を設け、前記ろ過弁５からの浄水を受ける浄水池６の水位が満水水位ＨＨより低い設定高水位ＨＬに達したときに、前記取水ポンプ１の動作停止を行う水位検知機構６２を備える。さらに、前記タイマ機構４４は、毎日定時で前記取水ポンプ１の稼働を停止させる機能を備える。尚、前記水位検知機構６２は、運転制御手段Ｃとして設けられるコンピュータに、水位計６１からの入力を受けて、取水ポンプ１を動作させる動作信号を出力するプログラムを備えることによって実現される。
【００３４】
このような構成により、前記ろ過池システムは、図２に示すように運転される。
浄水池６の前記設定高水位ＨＬを検知した場合（Ａ点）や定時には、前記ろ過池４を運転停止するにあたって、まず取水ポンプ１が停止される（Ｂ点）。
【００３５】
このとき、前記前処理部２では原水の流入が停止されるが、その後しばらくは余剰原水が流れることになる。この余剰原水は、前記ろ過池４の流入弁３が開状態であるため、前記ろ過池４に流入する。またこのとき、ろ過弁５も開状態なので、前記ろ過池４では、ろ過動作が続けられ、浄水池６にろ過水を流出し続け、余剰原水の流入量の減少に従って前記ろ過池４内の水位は低下する。また、ろ過池４から流出されるろ過水を受け、前記浄水池６の水位は上昇するが、前記設定高水位ＨＬを満水水位ＨＨよりも低く設定してあるから、前記浄水池６では前記ろ過水を受け入れ貯留することができ、前記ろ過水は無駄に廃棄されない。
【００３６】
ろ過池４の水位低下は、前記余剰原水のろ過池４への流入量とろ過水の流出量との差によって決まるので、経験的に取水ポンプ１停止後前記ろ過池４内の水位が十分低下するまでの時間を知ることができ、この時間を第一設定時間Ｔ１として前記タイマ機構４４が計測し、前記ろ過弁５を閉じる（Ｃ点）。
【００３７】
尚、前記水位制御機構４３により、前記ろ過池４内の水位を通常高水位Ｈ１と、通常低水位Ｌ１との間に維持する制御を行っているので、前記取水ポンプ１の停止時には、ろ過池４の水位は前記通常低水位Ｌ１より高く維持されている（Ｄ点）。従って、前記第一設定時間Ｔ１として、前記通常低水位Ｌ１から前記ろ過池４内の下限水位Ｌにまで水位が低下する時間を設定しておくことにより、取水ポンプ１を停止した後、ろ過弁５を閉じるまでにろ過池４の水位が前記下限水位Ｌ（Ｅ点）よりも低下しすぎることないように制御される。
【００３８】
前記ろ過弁５を閉じると、前記ろ過池４内から浄水池６へのろ過水の流出が停止される。この状態では、前記流入弁３が開状態であるから、前記ろ過池４が前記余剰原水の流入を受けると、前記ろ過池４内の水位が上昇する。また、浄水池６ではろ過水が流入しないので、浄水の消費に従って水位が低下し始める（Ｆ点以降）。一般に、前記ろ過池４を運転停止する時期は、浄水の消費の少ない時期に合わせて設定するので、通常ろ過弁５の停止後しばらくは浄水池６の水位は高い状態に維持される。
【００３９】
ろ過池４の水位上昇は、前記余剰原水の流入によって決まるので、前記ろ過池４が余剰原水を受ければ、その時点までに前記ろ過池４に流入した余剰原水がそのろ過池４で蓄えられ、次のろ過池４運転時に有効利用されることになる。そこで、前記ろ過池４が前記余剰原水を受け入れることができる期間を第二設定時間Ｔ２として経験的に見出しておけば、前記タイマ機構４４が前記第二設定時間Ｔ２を計測し、前記流入弁３を閉じることにより（Ｇ点）、ろ過池４で十分な余剰原水を蓄えることができる。その後、前処理部２を流通する余剰原水は、前記ろ過池４に流入しなくなり廃棄される。
【００４０】
次にろ過池４の運転を再開する場合には、毎日定時（Ｉ点）に、もしくは、前記水位計６１が前記浄水池６の設定低水位Ｌ０を検出したとき（Ｊ点）に、前記取水ポンプ１を起動し、同時にろ過弁５および流入弁３を開とする。このとき、前記前処理部２には余剰原水が無い状態であるから、取水ポンプ１による原水の供給開始後、徐々に流入弁３からの原水流入が増加する。また、前記ろ過池４は、前記余剰原水を貯留して水位の高い状態（Ｋ点）から運転を開始するので、即座に浄水池６に対するろ過水の供給を開始する。そのため、前記ろ過池４の水位は、徐々に低下しつつ、前記通常高水位Ｈ１と通常低水位Ｌ１との間に収束し、安定運転が行えるようになる。
【００４１】
〈第二実施形態〉
本発明のろ過池システムは、前記ろ過弁５および前記流入弁３の制御を前記ろ過弁の水位のみに基づいて行うことができる。基本構成は、先の第１実施形態と同様である。
【００４２】
また、前記弁開閉手段４２は、前記ろ過池４の運転停止の際に、前記取水ポンプ１の動作停止後、ろ過池４の水位が下限水位Ｌに達したときに前記ろ過弁５を閉じ、さらにその後、ろ過池４の水位が上限水位Ｈに達したときに前記流入弁３を閉じるように、前記水位検知機構６２により。また、前記下限水位Ｌは、前記ろ過池４に内装されるろ材の表面が露出しない低水位に設定し、前記上限水位Ｈは、前記ろ過池４内に前記余剰原水を十分貯留することのできる高水位に設定する。
【００４３】
尚、前記取水ポンプ１停止時にも、前記下限水位Ｌとして、前記通常低水位Ｌ１、前記上限水位Ｈとして前記通常高水位Ｈ１を用いて、前記水位制御機構４３による水位制御を行うこともできる。この場合、既存のろ過池システムの構成をそのまま利用して水位制御を行うことが出来る。
【００４４】
本実施形態のろ過池システムは、図３に示すように運転される。
浄水池６の前記設定高水位ＨＬを検知した場合には、前記ろ過池４を運転停止するにあたって、まず取水ポンプ１が停止される。
【００４５】
ろ過池４の水位は、前記余剰原水のろ過池４への流入量とろ過水量との差によって決まるので、ろ過水量にあまり変化が無く、流入量が減少すると継続的に低下する。そこで前記水位センサ４１が、前記下限水位Ｌを検知すると、前記水位制御機構４３により前記ろ過弁５を閉じる。
【００４６】
前記流入弁３は開状態であるから、前記余剰原水の流入を受けて、前記ろ過池４の水位が上昇する。
【００４７】
ろ過池４の水位上昇は、前記余剰原水の流入によって決まるので、前記ろ過池４が余剰原水を受ければ、その時点までに前記ろ過池４に流入した余剰原水が、そのろ過池４で蓄えられ、次のろ過池４運転時に有効利用されることになる。そこで、前記ろ過池４が前記余剰原水を受け入れることができる上限水位Ｈを水位センサ４１により検出して、水位制御機構４３により前記流入弁３を閉じると、ろ過池４で十分な余剰原水を蓄えることができる。その後、前処理部２を流通する余剰原水は、前記ろ過池４に流入しなくなり廃棄される。
【００４８】
〈その他の実施形態〉
先の実施形態では、ろ過弁５の閉動作を第一設定時間Ｔ１もしくはろ過池４の水位に基づき行う例を示したが、例えば、浄水池６へのろ過水流入量や、前記浄水池６の水位等、種々要因に基づき行うことができる。
【００４９】
図４に示すように、前記取水ポンプ１の停止後、前記浄水池６に流出されるろ過水流入量が、前記ろ過池４における通常低水位Ｌ１から下限水位Ｌに変位するまでに流出される水の総量に達したときに前記ろ過弁５を閉じることによって、前記浄水池６からの送水に関わらず、先の第二実施形態と同様の運転が行えることになる。尚、前記浄水池６の水位計６１を用いて、水位検知機構６２によりろ過弁５を操作する際に、前記取水ポンプ１停止後、前記浄水池６からの送水が見込まれる場合には、その送水量を考慮して前記設定高水位ＨＬを設定しておけばよい。
例えば、前記浄水池６における設定高水位ＨＬと満水水位ＨＨとの水位差内での貯水量と、前記ろ過池４における通常低水位Ｌ１と下限水位Ｌとの水位差内での貯水量とを一致させておく。この条件下で、浄水池６の満水水位ＨＨの検出に基づき、前記ろ過弁５を閉じれば、前記ろ過弁５を閉じた後に、前記浄水池６からの送水が無いかぎり、先の第二実施形態と同様の水位の変動が観測されることになる。
【００５０】
また、取水ポンプ１の起動、停止、ろ過弁５や流入弁３の開閉を設定時間に基づいて行う場合に、その設定時間は、種々の基準をもとに計測し始めることができる。例えば、先の第一実施形態では、前記流入弁３を閉じる第二設定時間Ｔ２をろ過弁５を閉じた時点を基準として設定したが、前記取水ポンプ１の停止時を基準に設定してもよい。また、取水ポンプ１を毎日定時に起動、停止するものと設定するのに代え、取水ポンプ１の停止、起動後の経過時間に基づき起動、停止するものとすることもでき、種々の設定が可能である。
【００５１】
さらに、前記ろ過弁５を閉じる操作が、設定時間、ろ過池４の水位、浄水池６の水位等のいずれの要因に基づいて行われる場合であっても、前記流入弁３を閉じる動作を、設定時間、ろ過池４の水位のいずれの要因に基づいても行うことができる。これら要因は、先の実施の形態のように一致していても良く、異なっていても良い。例えば、前記ろ過弁５を設定時間に基づいて閉じ、前記流入弁３をろ過池４の水位に基づいて閉じるものとしてもよいし、前記ろ過弁５を浄水池６の水位に基づいて閉じ、前記流入弁３を設定時間に基づいて閉じるものとしてもよい。尚、ろ過弁５と、流入弁３との動作を同じ要因に基づいて行うものとすると、既存のろ過池システムに対して、少ない設計変更を行うだけで、上述の運転を行うことができるようになるので好ましい。
【００５２】
このほか、ろ過弁５および流入弁３の操作は、設定時間、ろ過池４の水位等のいずれか一つの要因に基づいて行うことができるが、複数の要因に基づいて行うようにしても良い。例えば、前記ろ過弁５の停止を、前記取水ポンプ１の停止後第一設定時間Ｔ１が経過するのと、前記浄水池６の水位が満水水位ＨＨになるのと、いずれか早い方に基づいて行ったり（図５参照）、前記流入弁３の停止を、前記ろ過弁５の停止から第二設定時間Ｔ２が経過するのと、前記ろ過池４の上限水位Ｈを検出するのと、いずれか早い方に基づいて行うことができる。このようにすれば、ろ過池４の運転をより確実に安定に制御しながら、余剰原水を有効利用し、水回収率を高めることが出来る。
【００５３】
なお、ろ過池４の形式は任意であり、ろ過弁５、流入弁３は、いわゆる弁に限らず、サイホンや空封トラップ等の他の流入流出装置を適宜用いることができる。
【図面の簡単な説明】
【００５４】
【図１】ろ過池システムの概略図
【図２】第一実施形態におけるろ過池システムの運転制御説明図
【図３】第二実施形態におけるろ過池システムの運転制御説明図
【図４】その他の実施形態におけるろ過池システムの運転制御説明図
【図５】その他の実施形態におけるろ過池システムの運転制御説明図
【符号の説明】
【００５５】
１  取水ポンプ
３  流入弁
４  ろ過池
５  ろ過弁
Ｃ  運転制御手段
【図１】
2005334816.tif 000003
【図２】
2005334816.tif 000004
【図３】
2005334816.tif 000005
【図４】
2005334816.tif 000006
【図５】
2005334816.tif 000007